(57)【要約】【課題】  フロント部の両側に取付けたツルが該フロント部背面と近接して折畳まれる薄型メガネの提供。【解決手段】  フロント部１の両側に折畳み出来るように取付けたツル２ａ，２ｂは、捩れながら厚みを抑えフロント部背面に近接する。【選択図】    図３
0003232161.tif 000002
【実用新案登録請求の範囲】
【請求項１】
フロント部の両側に取付けたツルが、継手を介して折畳まれる薄型メガネにおいて、上記継手はヨロイ及びツルに対して傾いて取付けることで継手軸を左右方向又は前後方向に傾き、ツルはフロント部の背面に接近して折畳まれるようにした薄型メガネ。
【請求項２】
フロント部の両側に取付けたツルが、継手を介して折畳まれる薄型メガネにおいて、上記継手はヨロイ及びツルに対して傾斜して取付けることで継手軸を前後方向又は左右方向に傾き、ツルはフロント部の背面に接近して折畳まれるようにした薄型メガネ。
【請求項３】
フロント部の両側に取付けたツルが、継手を介して折畳まれる薄型メガネにおいて、上記継手はヨロイ及びツルに対して傾き及び傾斜して取付けることで継手軸を左右方向及び前後方向に傾き、ツルはフロント部の背面に接近して折畳まれるようにした薄型メガネ。
【考案の詳細な説明】
【技術分野】
【０００１】
本考案は顔から外して持ち歩く際に嵩張ることなく、胸ポケットなどに収納することが出来る薄型メガネに関するものである。
【背景技術】
【０００２】
メガネには色々な形態があり、また、多種多様なデザイン・装飾が施されている。そして機能面では長時間にわたって着用していても疲れを感じることがないように、チタンなどの材質が使用されて軽くなっている。また、フロント部にリムを備えることなく、両レンズを連結部材で直接ネジ止めし、レンズ外側にはヨロイをネジ止めした縁なしメガネも多用されている。
【０００３】
図１０は一般的なメガネを示しているが、該メガネはフロント部（イ）の両側にツル（ロ）、（ロ）を折畳み出来るように取付けている。そしてフロント部（イ）は両リム（ハ）、（ハ）を連結部材（ニ）にて連結すると共に、両リム（ハ）、（ハ）の外側にはヨロイ（ホ）、（ホ）がロウ付けされて構成し、該ヨロイ（ホ）、（ホ）に上記ツル（ロ）、（ロ）が蝶番（ヘ）、（ヘ）を介して折畳み可能に連結している。そしてリム（ハ）、（ハ）にはレンズ（ト）、（ト）が嵌っている。
【０００４】
図１１はメガネを外してツル（ロ）、（ロ）が折畳まれた場合であり、両ツル（ロ）、（ロ）は互いに重なり合っている。そして同図から明らかなように、ツル（ロ）、（ロ）はフロント部（イ）の裏側に折畳まれ、その厚さ寸法Ｈは比較的大きくなる。近眼用のメガネであるならば常に着用しているが、老眼鏡は仕事をする場合、新聞雑誌を読む場合などに着用する為に、一般にはメガネケースに入れて常時持ち歩いている。
【０００５】
フロント部（イ）の中央部内側には対を成す２個の鼻当てパット（チ）、（チ）が取付けられ、メガネを掛けた際にはフロント部（イ）を支える為に鼻の両脇に当たることが出来る。図１１にも示しているように、折畳まれるツル（ロ）、（ロ）が鼻当てパット（チ）、（チ）に接しないように、間には適度な大きさの隙間（リ）、（り）が形成している。
【０００６】
携帯する老眼鏡は出来るだけコンパクトであることが必要である。フロント部の縦横寸法は顔に掛ける関係上小さくするには限度があるが、折畳んだ状態の厚さ寸法Ｈを小さくすることで、収容するメガネケースは薄くなる。
しかし、従来のメガネでは、着用したときに頭に沿うように湾曲したモダンがツル先端に設けられ、該ツルが該フロント部の裏側に重なり合うように折畳まれる為に、厚さの縮小には限度がある。しかも、鼻当てパット（チ）、（チ）に接しないように隙間（リ）、（リ）を設ける必要があり、ツルを折り畳んだ場合の厚さ寸法Ｈは必然的に大きくなってしまう。
【０００７】
特開２０１５−９０３９０号に係る「薄型メガネ」は、フロント部の水平中立軸上の外側に継手を設け、一方側継手の軸はフロント部を含む平面に対して外側上方から内側下方へ傾斜し、他方側継手の軸はフロント部を含む平面に対して内側上方から外側下方へ傾斜し、これら傾斜した軸に連結したツルを折畳む場合、一方側の継手に連結したツルはフロント部の上側に位置し、他方側の継手に連結したツルはフロント部の下側に位置するようにしている。
【０００８】
特開２００９−６９３５６号に係る「薄型メガネ」は、概略楕円形リムの中心から延びる水平基線に対して下方へ傾斜した傾斜線がリムと交わる位置にブローチを設け、該ブローチには継手を取付けると共に、該継手の軸は上記位置におけるリムの接線と平行とし、そして、継手に取付けたツルは折畳まれた状態でフロント部と同一面を成してリムに沿って立ち上がり、その後は真っ直ぐに延びて先端部は湾曲したモダンとし、又ツルを開いた状態では外側へ傾斜し、さらに、両リムを連結する連結部材は山形としてリムの下側に設けている。
【特許文献１】特開２０１５−９０３９０号に係る「薄型メガネ」
【特許文献２】特開２００９−６９３５６号に係る「薄型メガネ」
【考案の開示】
【考案が解決しようとする課題】
【０００９】
このように、老眼鏡をコンパクトに折畳んで携帯することが出来るように構成した薄型メガネは色々存在している。上記従来の文献に記載しているように、両ツルを折畳む場合にフロント部の上側に位置するようにしたり、又は一方のツルをフロント部の上側に位置し、他方のツルをフロント部の下側に位置するようにすれば、ツルが折畳まれた状態のメガネは薄くなる。
しかし、ツルの折畳み位置をフロント部と同一面とし、該フロント部の上側、又はフロント部の下側に位置するように構成する場合、メガネフレームのツル継手構造は複雑となり、その為に製作が面倒である。
本考案が解決しようとする課題はこの問題点であり、継手の傾きを変えることで、また、継手の傾斜を変えることで、ツルは捩れながら折畳まれ、湾曲したモダンの厚みを解消しながらフロント部背面に近接して折畳むことが出来る薄型メガネを提供する。
【課題を解決するための手段】
【００１０】
本考案に係る薄型メガネはフロント部の両側にツルを折畳み可能に取付けた形態であり、基本的な構造は従来のメガネと共通している。ここで、フロント部の両側にはヨロイを設けているが、本考案の薄型メガネを構成するヨロイは従来のような概略Ｌ形ではなく、外方向へ延びる真っ直ぐな部材を基本とし、この真っ直ぐなヨロイに蝶番などの継手を介してツルが折畳み出来るように取付けられている。
ただし、Ｌ形のヨロイとする場合もあるが、該Ｌ形ヨロイは後方へ延びる長さは短くしている。
【００１１】
ところで、従来の蝶番などの継手はヨロイ及びツルに沿って設けられ、継手軸は上下方向に延びているが、本考案ではヨロイ及びツルに対して傾いている。したがって、継手軸は内側又は外側（左右方向又は前後方向）に傾いて上下方向ではないが、継手の具体的な傾き角度は限定しない。
また、継手はツル及びヨロイの方向に対して傾斜していて、継手軸はフロント部に対して平行ではなく、前後方向又は左右方向に傾斜している。
その結果、該継手を介して折畳まれるツルは、捩れながら折畳まれ、湾曲したモダンの厚みを解消しながらフロント部背面に近接し、ツルが折畳まれるメガネは薄くなる。
【考案の効果】
【００１２】
本考案に係るメガネは、両ツルが捩れながら折畳まれ、湾曲したモダンの厚みを解消することでフロント部側との間に大きな隙間を残すことはなく、メガネは薄くなり、胸ポケットなどに手軽に収容することが出来る。特に、フロント部と同一面をなして外側へ延びるヨロイとし、該ヨロイに蝶番等の継手を設けるならば、継手側の厚さも小さく成る。
【図面の簡単な説明】
【００１３】
【図１】本考案に係る薄型メガネを示す平面図。
【図２】本考案に係る薄型メガネのツルがモダンを捩りながら折畳まれる為の継手の形態。
【図３】図２に示す継手を用いて折畳まれたツルの平面図。
【図４】図２に示す継手を用いて折畳まれたツルの背面図。
【図５】（ａ）は本考案に係る薄型メガネのツルがモダンを捩りながら折畳まれる為の継手の形態、（ｂ）は（ａ）に示した継手を用いて折畳まれたツルの背面図。
【図６】本考案に係る薄型メガネのツルがモダンを捩りながら折畳まれる為の継手の形態。
【図７】図６に示した継手を用いて折畳まれたツル。
【図８】本考案に係る薄型メガネのツルが鼻当てパットに接することなく折畳まれるツルの形態。
【図９】真っすぐなヨロに継手を設けた場合。
【図１０】従来の一般的なメガネ。
【図１１】従来メガネのツルが折畳まれた場合。
【考案を実施するための形態】
【００１４】
図１は本考案に係る薄型メガネの平面図を表している実施例であり、フロント部１の両側にはツル２ａ，２ｂが折畳み出来るように取付けられている。フロント部１は両リム３ａ，３ｂが山形に湾曲した連結部材４にて連結され、リム外側にはヨロイ５ａ，５ｂがロウ付けして設けられている。そして該ヨロイ５ａ，５ｂには継手６ａ，６ｂが取付けられて、ツル２ａ，２ｂは継手６ａ，６ｂを介して折畳み出来るように連結している。
【００１５】
ところで、上記ヨロイ５ａ，５ｂは前記図１０、図１１に示すような概略Ｌ形ではなく直線状の部材と成っている。そして、直線状のヨロイ５ａ，５ｂには継手６ａ，６ｂがロウ付けされ、該ヨロイ５ａ，５ｂを介してツル２ａ，２ｂが取付けられている。ツル２ａ，２ｂの基部はＬ形に屈曲し、この基部７ａ，７ｂが該継手６ａ，６ｂにロウ付けされることで、ツル２ａ，２ｂはフロント部１の両側後方へ延びることが出来る。
【００１６】
本考案の薄型メガネは、フロント部１の背面に近接してツル２ａ，２ｂが折畳まれるように、該ツル２ａ，２ｂを連結している継手６ａ，６ｂは傾いている。
図２はヨロイとツルを連結することが出来る継手を表し、（ａ）は側面図、（ｂ）は正面図であって、同図に示すように該継手６は傾いている。
ヨロイ５に対して先端側が上方を向き、その為に継手軸は外方向に傾くことになる。
【００１７】
ところで、図２に示す継手６を介して取付けたツル２は、図３（ａ）に示すように折畳まれる。図３（ｂ）は従来の継手を介して折畳まれた場合であるが、上記継手６を用いることでツル先端部の設けているモダン７は捩れながら折畳まれる。
図３は従来のツルと本考案のツル２を比較しているように、○印で示したモダン部分はフロント部１に近接して薄くなる。
そして、図４に示すようにフロント部１に近接して折畳まれたツル２は、鼻当てパット８ａ，８ｂの下側に位置して、先端部のモダン７は下方へ大きく延びている。
【００１８】
図５は継手６の他の取付け形態を示しているが、該継手６は傾斜している。すなわち、ヨロイ６及びツル２に対して斜めに傾斜していて、ヨロイ６側にロウ付けされる継手片（蝶片）が高くなり、ツル２にロウ付けされる継手片（蝶片）が低くなるようにしている。したがって、継手軸は前後方向に傾斜する。
そして、この傾斜した継手に取付けたツル２は折畳まれるが、その状態は図５（ｂ）に示しているように、上方へ向いて延び、モダンはフロント部より上側に位置することになる。
【００１９】
図６は継手のさらなる別形態の取付け構造を表している。
（ａ）は継手の側面図を、（ｂ）は継手の正面図をそれぞれ表していて、該継手は傾くと共に斜めに傾斜してヨロイ５及びツル２にロウ付けされている。すなわち、前記図２に示した継手形態と、図５に示した継手形態が組み合わされた状態を成している。したがって、このように傾き・傾斜した継手に取付けられたツル２は、図７（ａ）、（ｂ）に示すように鼻当てパットの近くで位置すると共に、フロント部に近接した状態で折畳まれる。すなわち、両ツル２，２はフロント部中央背面に近接して折畳まれて薄型メガネとなる。
【００２０】
図８は、両ツルが折畳まれた場合の薄型メガネの形態例を表している。
（ａ）は両ツルが鼻当てパットの上側に近接した位置に折畳まれている場合を表し、（ｂ）は両ツルが鼻当てパットの下側に位置して折畳まれた場合、（ｃ）は両ツルが鼻当てパットの上側に折畳まれている場合をそれぞれ表している。
このように、両ツルの折畳み位置は変化しているが、これは継手６の傾き角度及び傾斜角度を変えることで、調整することが出来る。
【００２１】
図９は図１のＡ部拡大図を示している。継手６を構成している一方の蝶片１０ａはリム３の外側にロウ付けしたヨロイ５に固定され、ツル２の基部７は他方の蝶片１０ｂに固定されている。継手６の軸９はフロント部１の背面との間に形成される隙間は小さく、その為に該軸９を中心として旋回して折畳まれるツル２の継手側もフロント部１の背面に接近することが出来る。
ただし、ヨロイ５を従来のような概略Ｌ形とすることもあり、このＬ形ヨロイ５を用いる場合には、背面側へは大きく延ばすことなく、継手６の軸９を出来る限りフロント部１の近くに設けることが必要である。
【符号の説明】
【００２２】
１  フロント部
２  ツル
３  リム
４  連結部材
５  ヨロイ
６  継手
７  基部
８  鼻当てパット
９  軸
10  蝶片
【図１】
0003232161.tif 000003
【図２】
0003232161.tif 000004
【図３】
0003232161.tif 000005
【図４】
0003232161.tif 000006
【図５】
0003232161.tif 000007
【図６】
0003232161.tif 000008
【図７】
0003232161.tif 000009
【図８】
0003232161.tif 000010
【図９】
0003232161.tif 000011
【図１０】
0003232161.tif 000012
【図１１】
0003232161.tif 000013